(57)【要約】【課題】薄型のドライブのように光ピックアップの可動範囲が狭い場合であっても迷光オフセットを適正に除去する迷光オフセットの除去方法及び光ディスク装置を提供する。【解決手段】フォーカス駆動信号の電圧を徐々に増加させて出力すると、光ピックアップは光ディスクに近づく方向に移動し、その移動過程において、光ディスクの表面での反射によるＳ字信号３３、光ディスクの反射面での反射によるＳ字信号３４が検出される。  Ｓ字信号３４が検出されたときのフォーカス駆動信号の電圧をＶａとして、この電圧Ｖａを記憶する。次に、記憶された電圧値Ｖａに基づいて、光ディスク１の表面による反射の影響を受けることない光ピックアップの位置に対応するフォーカス駆動信号の電圧値であるＶｂを算出し、その位置に光ピックアップを移動して迷光オフセット除去を行う。【選択図】図３
2005174383.tif 000002
【特許請求の範囲】
【請求項１】
光ピックアップ内に生じる迷光によって発生する迷光オフセットの除去方法であって、フォーカス駆動信号を出力して光ピックアップを光ディスクに対して移動し、光ディスクの反射面によってフォーカスエラー信号にＳ字信号が発生するときのフォーカス駆動信号の電圧を基準電圧として記憶し、前記基準電圧に基づいて、光ディスクによる反射光の影響を受けない領域のフォーカス駆動信号の電圧を算出して前記光ピックアップを移動し、その位置において迷光オフセットを除去することを特徴とする迷光オフセットの除去方法。
【請求項２】
光ディスクによる反射光の影響を受けない前記領域が、光ディスクの反射面と表面の間にあることを特徴とする請求項１記載の迷光オフセットの除去方法。
【請求項３】
光ディスクによる反射光の影響を受けない前記領域を、光ディスクの反射面を基準として光ディスクの厚み方向に、光ディスクの反射面と表面との距離の２３％〜７６％の範囲内としたことを特徴とする請求項１記載の迷光オフセットの除去方法。
【請求項４】
光ピックアップを光ディスクに対して移動するためのフォーカス駆動信号を出力するアクチュエータ駆動手段と、光ディスクの反射面によってフォーカスエラー信号に発生するＳ字信号を検出するＳ字レベル検出手段と、前記Ｓ字信号が発生するときのフォーカス駆動信号の電圧を基準電圧として記憶する記憶部と、前記基準電圧に基づいて光ディスクによる反射光の影響を受けない領域のフォーカス駆動信号の電圧を算出する演算部と、フォーカス駆動信号が前記算出された電圧であるときに制御信号のオフセット電圧を測定するオフセット検出手段と、オフセットの調整を行って迷光オフセットを除去するオフセット調整手段を有することを特徴とする光ディスク装置。
【請求項５】
光ディスクによる反射光の影響を受けない前記領域が、光ディスクの反射面と表面の間にあることを特徴とする請求項４記載の光ディスク装置。
【請求項６】
光ディスクによる反射光の影響を受けない前記領域を、光ディスクの反射面を基準として光ディスクの厚み方向に、光ディスクの反射面と表面との距離の２３％〜７６％の範囲内としたことを特徴とする請求項４記載の光ディスク装置。
【発明の詳細な説明】
【技術分野】
【０００１】
本発明は光ピックアップにより光ディスクの情報を記録再生する際の迷光オフセットの除去方法及び光ディスク装置に関する。
【背景技術】
【０００２】
光ディスク装置は、オーディオ用ＣＤをはじめとして、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
ここで、光ディスク装置の構成を図１を用いて説明する。
【０００４】
図１は本発明の実施の形態における光ディスク装置のピックアップ制御部のブロック図である。図１において、１は光ディスク、２はピックアップモジュール、３はスピンドルモータ、４は光ピックアップ、５はキャリッジ、６はフィード部、７はフィードモータ、８はアナログ信号処理部、９はサーボ処理部、１０はモータ駆動部、１１はディジタル信号処理部、１２はレーザ駆動部、１３はコントローラである。
【０００５】
以上のように構成された従来の技術におけるピックアップ制御部の動作について説明する。図１において、ピックアップモジュール２は、光ディスク１を回転させるスピンドルモータ３と、光ディスク１の情報信号を読み取るための光ピックアップ４と、光ピックアップ４が搭載されたキャリッジ５を光ディスクの半径方向に移動させるためのフィード部６とによって構成されたものである。アナログ信号処理部８はピックアップモジュール２の内部に設けられたキャリッジ５中の光ピックアップ４内部の光センサ（図示せず）からの信号出力を基に、フォーカスエラー信号とトラッキングエラー信号とを生成し、サーボ処理部９に出力する。
【０００６】
フォーカスエラー信号とは、光ピックアップ４に備えられた対物レンズ（図示せず）より出射される光ビームスポットと光ディスク１の記録面との焦点方向のずれを示す。トラッキングエラー信号とは、前記光ビームスポットと光ディスク１の情報トラックの光ディスク半径方向のずれを示す。また、アナログ信号処理部８はトラッキングエラー信号の低域成分を取り出す事により、対物レンズとキャリッジ５との相対的な位置関係を示すレンズ位置信号を生成し、モータ駆動部１０に出力する。
【０００７】
サーボ処理部９はＯＮ／ＯＦＦ回路、演算回路、フィルタ回路、増幅回路等によって構成され、光ビームスポットが光ディスク１の情報トラックに追従するように対物レンズをフォーカス／トラッキング制御し、さらにトラッキングエラー信号の低域成分を用いて対物レンズが概略中立位置を保持するようにフィード制御を行う。フィード部６はフィードモータ７、ギヤ（図示せず）、スクリューシャフト（図示せず）等から構成され、フィードモータ７を回転させることによってキャリッジ５が移動し、その際フィードモータ７よりフィードモータパルスが周期的に出力されるようになっている。コントローラ１３はこのように構成されたサーボ部の全体のコントロールを行うものである。
【０００８】
図５は、光ピックアップの移動に伴うフォーカスエラー信号とフォーカス駆動信号を示す図である。
【０００９】
図５（ａ）は、光ディスクに対して光ピックアップを移動させたときに生じるフォーカ
スエラー信号を示しており、図５（ｂ）はそのときのフォーカス駆動信号を示している。
【００１０】
光ピックアップ４を光ディスク１に近づけると、レーザ光３０の集光点が光ディスク１の表面３１に一致するときには、表面反射によるＳ字信号３３が得られる。また、レーザ光３０の集光点が光ディスク１の反射面３２に一致するときには、反射面での反射によるＳ字信号３４が得られる。
【００１１】
光ディスク装置においては、光ピックアップを構成する光部品による散乱等によって迷光が発生することが知られており、迷光成分がオフセットとして加算された信号が出力されるため、迷光によるオフセット（以下、「迷光オフセット」という）を除去することが必要となる。この迷光オフセットの除去は、表面反射によるＳ字信号の影響を避けるために、レーザ光の集光点が光ディスクの表面にかからないように予め設定された電圧でフォーカス駆動信号を出力して、光ピックアップの位置を光ディスクから充分に遠ざけて行われている。
【００１２】
迷光オフセットの除去に関する技術は、例えば特許文献１、特許文献２に記載されている。
【特許文献１】特開平１０−１０５９９７号公報
【特許文献２】特開２０００−３３９７３７号公報
【発明の開示】
【発明が解決しようとする課題】
【００１３】
近年光ディスク装置におけるドライブとして、その厚みが９．５ｍｍのものが開発されており、ドライブの薄型化は顕著となっている。ドライブの薄型化に伴って、光ピックアップの可動範囲が狭くなっており、光ピックアップの位置を光ディスクから充分に遠ざけるだけのスペースを確保することができなくなっている。そのため、表面反射によるＳ字信号の影響によって、迷光オフセットの誤調整が発生しやすいという問題が生じている。このような迷光オフセットの誤調整が発生すると、フォーカスエラー信号等の制御信号を正確に得ることが困難となり、制御が正しく行われなくなる。
【００１４】
本発明は、上記課題を解決するためになされたもので、薄型のドライブのように光ピックアップの可動範囲が狭い場合であっても、迷光オフセットを適正に除去することを可能として、制御を正確に行うことができる迷光オフセットの除去方法及び光ディスク装置を提供することを目的とする。
【課題を解決するための手段】
【００１５】
上記課題を解決するために、本発明は、光ピックアップ内に生じる迷光によって発生する迷光オフセットの除去方法であって、フォーカス駆動信号を出力して光ピックアップを光ディスクに対して移動し、光ディスクの反射面によってフォーカスエラー信号にＳ字信号が発生するときのフォーカス駆動信号の電圧を基準電圧として記憶し、前記基準電圧に基づいて、光ディスクによる反射光の影響を受けない領域のフォーカス駆動信号の電圧を算出して前記光ピックアップを移動し、その位置において迷光オフセットを除去することを特徴とする迷光オフセットの除去方法である。
【００１６】
光ディスクの反射面によってフォーカスエラー信号にＳ字信号が発生するときのフォーカス駆動信号の電圧を基準電圧として記憶し、前記基準電圧に基づいて、光ディスクによる反射光の影響を受けない領域のフォーカス駆動信号の電圧を算出することにより、レーザ光の焦点位置が光ディスク内にある場合でも、反射光による影響を受けることなく迷光オフセットを除去することができる。そのため、光ピックアップを光ディスクから充分に遠ざけることなく迷光オフセット除去が可能であり、薄型のドライブのように光ピックア
ップの可動範囲が狭い場合であっても迷光オフセットを適正に除去することができる。
【発明の効果】
【００１７】
本発明によると、光ピックアップを光ディスクから充分に遠ざけずに迷光オフセット除去することが可能であり、薄型のドライブのように光ピックアップの可動範囲が狭い場合であっても迷光オフセットを適正に除去することができる。
【発明を実施するための最良の形態】
【００１８】
本発明の請求項１記載の発明は、光ピックアップ内に生じる迷光によって発生する迷光オフセットの除去方法であって、フォーカス駆動信号を出力して光ピックアップを光ディスクに対して移動し、光ディスクの反射面によってフォーカスエラー信号にＳ字信号が発生するときのフォーカス駆動信号の電圧を基準電圧として記憶し、前記基準電圧に基づいて、光ディスクによる反射光の影響を受けない領域のフォーカス駆動信号の電圧を算出して前記光ピックアップを移動し、その位置において迷光オフセットを除去することを特徴とする迷光オフセットの除去方法である。
【００１９】
光ディスクの反射面によってフォーカスエラー信号にＳ字信号が発生するときのフォーカス駆動信号の電圧を基準電圧として記憶し、前記基準電圧に基づいて、光ディスクによる反射光の影響を受けない領域のフォーカス駆動信号の電圧を算出することにより、レーザ光の焦点位置が光ディスク内にある場合でも、反射光による影響を受けることなく迷光オフセットを除去することができる。そのため、光ピックアップを光ディスクから充分に遠ざけることなく迷光オフセット除去が可能であり、薄型のドライブのように光ピックアップの可動範囲が狭い場合であっても迷光オフセットを適正に除去することができる。
【００２０】
本発明の請求項２記載の発明は、請求項１記載の迷光オフセットの除去方法において、光ディスクによる反射光の影響を受けない前記領域が、光ディスクの反射面と表面の間にあることを特徴とする。
【００２１】
レーザ光の焦点位置がディスクの表面と反射面との間にあるときには、反射光の影響を受けることなく迷光オフセットを行うことができるからである。
【００２２】
本発明の請求項３記載の発明は、請求項１記載の迷光オフセットの除去方法において、光ディスクによる反射光の影響を受けない前記領域を、光ディスクの反射面を基準として光ディスクの厚み方向に、光ディスクの反射面と表面との距離の２３％〜７６％の範囲内としたことを特徴とする。
【００２３】
ピックアップ内にあるレンズ等の光学部材の焦点距離、開口数と光ディスクの面振れを考慮すると、光ディスクの反射面を基準として光ディスクの厚み方向に、光ディスクの反射面と表面との距離の２３％〜７６％の範囲内の領域を、光ディスクによる反射光の影響を受けない領域とするのが妥当だからである。
【００２４】
本発明の請求項４記載の発明は、光ピックアップを光ディスクに対して移動するためのフォーカス駆動信号を出力するアクチュエータ駆動手段と、光ディスクの反射面によってフォーカスエラー信号に発生するＳ字信号を検出するＳ字レベル検出手段と、前記Ｓ字信号が発生するときのフォーカス駆動信号の電圧を基準電圧として記憶する記憶部と、前記基準電圧に基づいて光ディスクによる反射光の影響を受けない領域のフォーカス駆動信号の電圧を算出する演算部と、フォーカス駆動信号が前記算出された電圧であるときに制御信号のオフセット電圧を測定するオフセット検出手段と、オフセットの調整を行って迷光オフセットを除去するオフセット調整手段を有することを特徴とする光ディスク装置である。
【００２５】
この構成とすることにより、光ディスクの反射面によってフォーカスエラー信号にＳ字信号が発生するときのフォーカス駆動信号の電圧を基準電圧として記憶し、前記基準電圧に基づいて、光ディスクによる反射光の影響を受けない領域のフォーカス駆動信号の電圧を算出することができ、レーザ光の焦点位置が光ディスク内にある場合でも、反射光による影響を受けることなく迷光オフセットを除去することができる。そのため、光ピックアップを光ディスクから充分に遠ざけることなく迷光オフセット除去ができ、薄型のドライブのように光ピックアップの可動範囲が狭い場合であっても迷光オフセットを適正に除去することが可能な光ディスク装置を実現することができる。
【００２６】
本発明の請求項５記載の発明は、請求項４記載の光ディスク装置において、光ディスクによる反射光の影響を受けない前記領域が、光ディスクの反射面と表面の間にあることを特徴とする。
【００２７】
レーザ光の焦点位置がディスクの表面と反射面との間にあるときには、反射光の影響を受けることなく迷光オフセットを行うことができるからである。
【００２８】
本発明の請求項６記載の発明は、請求項４記載の光ディスク装置において、光ディスクによる反射光の影響を受けない前記領域を、光ディスクの反射面を基準として光ディスクの厚み方向に、光ディスクの反射面と表面との距離の２３％〜７６％の範囲内としたことを特徴とする。
【００２９】
ピックアップ内にあるレンズ等の光学部材の焦点距離、開口数と光ディスクの面振れを考慮すると、光ディスクの反射面を基準として光ディスクの厚み方向に、光ディスクの反射面と表面との距離の２３％〜７６％の範囲内の領域を、光ディスクによる反射光の影響を受けない領域とするのが妥当だからである。
【００３０】
以下本発明の実施の形態について、図面を参照しながら説明する。
【００３１】
図１は本発明の実施の形態における光ディスク装置のブロック図である。図１において、１は記録可能な光ディスク、２はピックアップモジュールであり、ピックアップモジュール２には、光ディスク１を可変的に回転させたりあるいは一定回転させたりするスピンドルモータ３、光ディスク１に光を照射することで光ディスク１に所定の情報を記録したりあるいは光ディスク１に照射した光の反射光を元に情報を読み出したりする光ピックアップ４、光ピックアップ４を搭載したキャリッジ５、キャリッジ５を光ディスク１の半径方向に往復移動させるように駆動するフィード部６、フィード部６の駆動源となるフィードモータ７がそれぞれ固定されており、この様な構成によって、小型／薄型の光ディスク装置を実現している。
【００３２】
なお、本実施の形態では、ピックアップモジュール２に上記各部材を搭載したが、各部材の少なくとも一つを搭載し、他の部材は、他の光ディスク装置内部の部分に搭載固定しても良い。８はアナログ信号処理部、９はサーボ処理部、１０はモータ駆動部、１１はディジタル信号処理部、１２はレーザ駆動部、１３はコントローラである。
【００３３】
以上のように構成された本発明の実施の形態における光ディスク装置の動作について説明する。図１において、ピックアップモジュール２は、光ディスク１を回転させるスピンドルモータ３と光ディスク１の情報信号を読み取るための光ピックアップ４と光ピックアップ４が搭載されたキャリッジ５を光ディスクの半径方向に移動させるためのフィード部６が構成されたものである。
【００３４】
フィード部６はフィードモータ７，ギヤ（図示せず），スクリューシャフト（図示せず）等から構成され、フィードモータ７を回転させることによってキャリッジ５が光ディスク１の内周−外周間を移動するように構成されている。
【００３５】
アナログ信号処理部８はピックアップモジュール２の内部に構成されるキャリッジ５中の光ピックアップ４内部の光センサ（図示せず）からの信号出力を基に、フォーカスエラー信号とトラッキングエラー信号を生成し、サーボ処理部９に出力する。
【００３６】
サーボ処理部９はアナログ信号処理部８から送られてきたアナログ信号をディジタル信号に変換するＡ／Ｄ変換器、Ａ／Ｄ変換器で変換されたディジタル信号を一時的に記憶するメモリ、メモリに記録されたディジタル信号あるいはＡ／Ｄ変換器から送られてきたディジタル信号を所定の方法で演算する演算回路、演算回路にて演算されたディジタル信号をアナログ信号に変換するＤ／Ａ変換器等によって構成され、光ビームスポットが光ディスク１の情報トラックに追従するようにフィルタ信号処理や各種演算処理をディジタル演算によって行う構成になっている。このため、コントローラ１３からの司令によりいろいろなパラメータ設定やシーケンス制御がフレキシブルに行うことができる。
【００３７】
そしてサーボ処理部９はモータ駆動部１０を介して光ピックアップ４に搭載されている対物レンズをフォーカス方向／トラッキング方向に移動させる制御、フィード部６の移送制御、さらにスピンドルモータ３の回転制御等を行う。ＣＤやＤＶＤの記録時は線速度一定（ＣＬＶ）となるようにスピンドルモータ３の回転制御を行うが、再生時には出きるだけ高いデータ転送レートを得るために、ディスクを角速度一定（ＣＡＶ）となるようにスピンドルモータ３の回転制御を行う。ＣＡＶモードについては回転数の異なる複数の回転速度のモードがある。
【００３８】
再生動作時は、光ディスク１に光ピックアップ４から光を照射し、その光ディスク１からの反射光を図示していない受光素子で受光し、その受光した光に応じて光ピックアップ４から出力された再生信号がアナログ信号処理部８を介してディジタル信号処理部１１に入力される。
【００３９】
ディジタル信号処理部１１はデータスライサ、データＰＬＬ回路、ジッタ測定回路、エラー訂正部、変／復調部、バッファメモリ、レーザ制御部等から構成されており、ホスト（図中のＨＯＳＴ）側へ有効なデータとして転送される。
【００４０】
記録動作時は、ディジタル信号処理部１１によってホストから送られてきたデータを変調し、レーザ制御部によってレーザ駆動部１２を介して光ピックアップ４内のレーザ（図示せず）等の光源に所定の電流を供給し、光源を例えばパルス状に発光させ、光ディスク１の情報トラックに記録を行う。コントローラ１３はこのように構成された光ディスク装置全体のコントロールを行うものである。
【００４１】
図２、図３に基づいて、本発明の実施の形態に係る光ディスク装置と、光ディスク装置における迷光オフセット除去方法について説明する。
【００４２】
図２は迷光オフセット除去方法の流れ図である。図３は、迷光オフセット除去におけるフォーカスエラー信号とフォーカス駆動信号を示す図である。
【００４３】
まず、フォーカス駆動信号を出力して光ピックアップ４を光ディスク１に近づく方向に移動し、フォーカス駆動信号のステップ毎にフォーカスエラー信号のＳ字レベルを測定する（Ｓ１）。すなわち、図３（ｂ）に示すように、フォーカス駆動信号の電圧を徐々に増加させて出力すると、光ピックアップ４は光ディスク１に近づく方向に移動し、その移動
過程において、図３（ａ）に示すようにＳ字信号３３、Ｓ字信号３４が検出される。
【００４４】
図５（ａ）に示すように、光ピックアップ４が（ａ）の位置から（ｅ）の位置に移動する過程で、（ｂ）の位置で光ディスク１の表面３１での反射によりＳ字信号３３が発生し、（ｄ）の位置で光ディスク１の反射面３２での反射によりＳ字信号３４が発生する。よって、レーザ光の焦点位置が（ｃ）に示す光ディスク１の表面３１と反射面３２の間にある状態では、反射光の影響を受けることなく迷光オフセットを行うことができる。
【００４５】
さらにレーザ光はピックアップ内にあるレンズ等の光学部材の焦点距離、開口数によって決まる焦点深度を持つことや光ディスクの面振れを考慮すると、レーザ光の焦点位置が光ディスク１の表面３１の近くや反射面３２の近くは除くことが好ましい。具体的には光ディスク１の反射面３２を基準として、光ディスク１の反射面３２と表面３１との距離の２３％〜７６％の範囲内においてレーザ光が焦点を結ぶ場合には、光ディスク１からの反射光の影響を受けることはなく、この範囲内において迷光オフセットを除去すれば、光ディスク１からの反射光の影響による迷光オフセットの誤調整を生じることがない。
【００４６】
このような光ピックアップ４の位置は、下記の手順で求めることができる。
【００４７】
Ｓ字信号３４が検出されたときのフォーカス駆動信号の電圧をＶａとして、この電圧Ｖａを記憶する（Ｓ２）。次に、記憶された電圧値Ｖａに基づいて、光ディスク１の表面３１による反射の影響を受けることない光ピックアップ４の位置に対応するフォーカス駆動信号の電圧値であるＶｂを算出する（Ｓ３）。このＶｂは、
Ｖｂ＝Ｖａ−｛反射面から表面までの距離×Ｌ÷ＤＣ感度｝
により求められる。ここで反射面から表面までの距離は光ディスクの種類によって異なり、ＣＤではおよそ１．２ｍｍ、ＤＶＤではおよそ０．６ｍｍである。ＤＣ感度とは、フォーカス駆動信号を１Ｖ与えたときの光ピックアップ４の移動量であり、単位はｍｍ／Ｖである。Ｌは定数で、光ディスク１の反射面３２からのレーザ光の焦点位置の移動すべき距離を決める。すなわちＬが０．２３〜０．７６であるとき、光ディスク１の反射面３２と表面３１との距離の２３％〜７６％の範囲内においてレーザ光が焦点を結ぶ。
【００４８】
よって、（反射面３２から表面１までの距離×Ｌ）をＤＣ感度で割ることによって、光ディスク１の反射面３２でＳ字信号３４が検出されるときのフォーカス駆動信号の電圧を基準として、低下させるべきフォーカス駆動信号の電圧を導き出すことができる。光ディスク１の反射面３２によるＳ字信号３４が得られるときのフォーカス駆動信号の電圧Ｖａから、低下させるべきフォーカス駆動信号の電圧を引いた電圧が、求めるべきフォーカス駆動信号の電圧値Ｖｂとなる。
【００４９】
次に、フォーカス駆動信号の電圧値がＶｂとなる位置に光ピックアップ４を移動する（Ｓ４）。これは、図３（ｂ）では、フォーカス駆動信号の電圧値をＶｂまで低下させることを意味する。この位置においてフォーカスエラー信号、トラッキングエラー信号等の制御信号のオフセット電圧を測定し、迷光オフセットを除去する（Ｓ５）。
【００５０】
図４は、迷光オフセット除去処理を実行する機能を備えた光ディスク装置のブロック図である。
【００５１】
光ディスク１の方向への光ピックアップ４の移動は、アクチュエータ駆動手段２１からフォーカス駆動信号が出力されることによって行われ、光ピックアップ４の位置情報に基づいて制御信号生成手段２２によって、フォーカスエラー信号、トラッキングエラー信号等の制御信号が生成される。フォーカスエラー信号に対してＳ字レベル検出手段２３によってＳ字レベルが検出され、Ｓ字レベルに関する情報がＣＰＵ２４に送られる。
【００５２】
ＣＰＵ２４は、Ｓ字信号が発生するときのフォーカス駆動信号の電圧を基準電圧として記憶する記憶部と、この基準電圧に基づいて光ディスク１による反射光の影響を受けない領域のフォーカス駆動信号の電圧を算出する演算部とを有しており、サーボ制御手段２７を介してアクチュエータ駆動手段２１にフォーカス駆動信号を出力させ、上述したように、光ディスク１からの反射光の影響のない位置に光ピックアップ４を移動する。
【００５３】
この位置においてフォーカスエラー信号、トラッキングエラー信号等の制御信号のオフセット電圧をオフセット検出手段２５によって測定し、オフセット加算手段２６によりオフセットの調整を行って迷光オフセットを除去する。
【００５４】
上述した光ディスク装置では、光ディスク１の反射面３２によってフォーカスエラー信号にＳ字信号３４が発生するときのフォーカス駆動信号の電圧Ｖａを基準電圧として記憶し、この基準電圧に基づいて、光ディスク１による反射光の影響を受けない領域のフォーカス駆動信号の電圧Ｖｂを算出することにより、レーザ光の焦点位置が光ディスク１内にある場合でも、反射光による影響を受けることなく迷光オフセットを除去することができる。そのため、光ピックアップ４を光ディスク１から充分に遠ざけることなく迷光オフセット除去が可能であり、薄型のドライブのように光ピックアップの可動範囲が狭い場合であっても迷光オフセットを適正に除去することができる。
【産業上の利用可能性】
【００５５】
本発明は、光ディスク装置として利用することができ、薄型のドライブであっても迷光オフセットを適正に除去することを可能として、フォーカス制御を正確に行うことができる光ディスク装置を実現することができる。
【図面の簡単な説明】
【００５６】
【図１】本発明の実施の形態における光ディスク装置のピックアップ制御部のブロック図
【図２】迷光オフセット除去方法の流れ図
【図３】迷光オフセット除去におけるフォーカスエラー信号とフォーカス駆動信号を示す図
【図４】迷光オフセット除去処理を実行する機能を備えた光ディスク装置のブロック図
【図５】光ピックアップの移動に伴うフォーカスエラー信号とフォーカス駆動信号を示す図
【符号の説明】
【００５７】
１    光ディスク
２    ピックアップモジュール
３    スピンドルモータ
４    光ピックアップ
５    キャリッジ
６    フィード部
７    フィードモータ
８    アナログ信号処理部
９    サーボ処理部
１０    モータ駆動部
１１    ディジタル信号処理部
１２    レーザ駆動部
１３    コントローラ
２１    アクチュエータ駆動手段
２２    制御信号生成手段
２３    Ｓ字レベル検出手段
２４    ＣＰＵ
２５    オフセット検出手段
２６    オフセット加算手段
２７    サーボ制御手段
３０    レーザ光
３１    表面
３２    反射面
３３    Ｓ字信号
３４    Ｓ字信号
【図１】
2005174383.tif 000003
【図２】
2005174383.tif 000004
【図３】
2005174383.tif 000005
【図４】
2005174383.tif 000006
【図５】
2005174383.tif 000007